(57)【要約】【課題】  マットレスから布団が落下することのないようにする。【解決手段】  フットボード５ｂの、マットレス３側の面側における補強用溝６の上部に設けた係止具７に線状部材８を止め付ける。  この線状部材８の先端側に連結具９を取り付けて掛け布団４の足側端部に着脱可能に止め付けるようにする。  前記連結具９には、周知の例えば挟み具を用いる。ばね力で前記掛け布団４の端を先端部９ａ，９ａで挟み止めるようにする。外すときは、ばね力に抗して、線状部材８を挿通したつまみ９ｂ，９ｂをつまんで前記先端部９ａ，９ａを開くようにする。【選択図】  図１
2005087667.tif 000002
【特許請求の範囲】
【請求項１】
ベッド装置における適所に線状部材を配設し、布団使用時に布団に前記線状部材を連結可能に構成し、布団の落下を防止する構成としたことを特徴とする布団落下防止機能を有するベッド装置。
【請求項２】
前記線状部材は、フットボードに配設する構成とし、前記線状部材の先端に、前記布団と着脱可能に連結するための連結具を設けたことを特徴とする請求項１記載の布団落下防止機能を有するベッド装置。
【請求項３】
前記連結具は、挟み具で構成したことを特徴とする請求項２記載の布団落下防止機能を有するベッド装置。
【請求項４】
前記連結具はコネクタで構成したことを特徴とする請求項２記載の布団落下防止機能を有するベッド装置。
【請求項５】
前記フットボードに、非使用時に連結具を保持する保持手段を設けたことを特徴とする請求項２記載の布団落下防止機能を有するベッド装置。
【発明の詳細な説明】
【技術分野】
【０００１】  本発明は、就寝中にマットレスから布団が落下することのないようにした、布団落下防止機能を有するベッド装置に関するものである。
【背景技術】
【０００２】  従来から、ベッドにおいては、就寝中に、特に下半身側が寝返りによって左右に大きく移動しがちで、布団（掛け布団）は足側がずれて、床面に落下しやすいものであり、そのために、例えば布団の端をマットレス下に巻き込んだり、何か固定具を設けて、落ちないようにすることがなされてきた。
これによって、布団の落下はある程度防止できるが、今度は、布団の中に入りにくくなったり、寝方によっては布団により身体が拘束されたり、マットレスとの間に隙間ができて、寝心地を損ねるという問題が起こっている。【０００３】  また、他方、例えば、以下のようなふとん落下防止具が提案されている。【非特許文献１】（実開平７−４２３０７号公報）  このふとん落下防止用具では、ふとんにひもを付けて、ベッドに縛り固定するというものである。
【発明の開示】
【発明が解決しようとする課題】
【０００４】  しかしながら、上記ふとん落下防止用具では、布団の長手側の一側部に３カ所付けており、寝返りなどによって、布団が前記ひもを付けた一側部側に寄った場合、ひもを付けていない布団の他側部側が、ベッド側面から垂れ落ちるおそれがある。
また、上記ふとん落下防止用具では、従来のふとん落下防止用具を利用するとあるが、ふとんに付けたひもをどのようにふとん落下防止用具を用いるのか、不明であり、使いやすさと快適な睡眠をもたらされるのかは疑問である。
本発明は、このような課題を充分に解決できるものであって、就寝中にマットレスから布団が落下することのないようにした、布団落下防止機能を有するベッド装置を提供することを目的とする。
【課題を解決するための手段】
【０００５】  前記した課題を解決するために、本発明では、請求項１において、ベッド装置における適所に線状部材を配設し、布団使用時に布団に前記線状部材を連結可能に構成し、布団の落下を防止する構成とした布団落下防止機能を有するベッド装置を提案する。
また本発明では、請求項２において、前記線状部材は、フットボードに配設する構成とし、前記線状部材の先端に、前記布団と着脱可能に連結するための連結具を設けた布団落下防止機能を有するベッド装置を提案する。
また本発明では、請求項３において、前記連結具は、挟み具で構成した布団落下防止機能を有するベッド装置を提案する。
また本発明では、請求項４において、前記連結具はコネクタで構成した布団落下防止機能を有するベッド装置を提案する。
さらに本発明では、請求項５において、前記フットボードに、非使用時に連結具を保持する保持手段を設けた布団落下防止機能を有するベッド装置を提案する。
【発明の効果】
【０００６】  本発明によれば、布団の足側を線状部材で連結したので、寝返りによって左右に大きく下半身が動いても、布団のずれを抑えることができ、布団の落下を効果的に防止することができる。【０００７】  請求項１によれば、ベッド装置における適所に取り付けた線状部材によって、布団使用時に布団を連結することで、布団の落下を防止することができる。【０００８】  請求項２によれば、前記線状部材をフットボードに配設して、連結具によって前記布団の足側端を保持することができ、布団の落下を阻止することができる。【０００９】  請求項３によれば、前記連結具に、挟み具を用いることで布団の挟み付けが容易である。【００１０】  請求項４によれば、前記連結具に、コネクタを用いることで布団との着脱が容易である。【００１１】  請求項５によれば、非使用時に連結具を格納空間部に格納することで、不用意に物を引っ掛けたりすることはなく、見た目にも問題はない。
【発明を実施するための最良の形態】
【００１２】
【００１３】  以下、本発明にかかる布団落下防止機能を有するベッド装置につき、一つの実施の形態を挙げ、添付の図面に基づいて説明する。
図１に布団落下防止機能を有するベッド装置１を示す。このベッド装置１は、ボトム２上に載置したマットレス３に、掛け布団４を覆うように掛けて使用するものである。
このようなベッド装置１において、ボード５（ヘッドボード５ａ，フットボード５ｂ）のうち、フットボード５ｂの内側、すなわち、マットレス３側の面側における補強用溝６の上部に設けた係止具７に線状部材８を止め付けている。
そしてこの線状部材８の先端側には連結具９を取り付けて前記掛け布団４の足側端部に着脱可能に止め付けるようにしている。【００１４】  前記線状部材８には、周知の素材の紐を用いることができる。【００１５】  前記連結具９には、周知の例えば挟み具を用いることができ（図２参照）、ばね力で前記掛け布団４の端を先端部９ａ，９ａで挟み止めるようにしている。外すときは、ばね力に抗して、線状部材８を挿通したつまみ９ｂ，９ｂをつまんで前記先端部９ａ，９ａを開くようにしている。
なお、連結具９としては、その他、周知のコネクタ（図示省略）も可能である。コネクタは、例えばオス部材、メス部材とを有して、それぞれ掛け布団４側と線状部材８側に取り付けるようにする。【００１６】  以上のような布団落下防止機能を有するベッド装置１において、掛け布団４の頭側をまくって、マットレス３上に横たわる前に、前記掛け布団４の足側の端中央近傍を、連結具９によって挟み付ける。すなわち、前記連結具９のつまみ９ｂ，９ｂをつまんで、ばね力に抗して、先端部９ａ，９ａを開き、前記掛け布団４の足側の端を先端部９ａ，９ａ間に差し入れて、つまみ９ｂ，９ｂを押し込む力を緩めればよい。【００１７】  このようにすれば、掛け布団４の下に潜り込んでも、掛け布団４の足側の端中央近傍を、連結具９によって挟み付けているので、掛け布団４の足側がずれることはなく、使用者は横たわることができる。
就寝中は、下半身が無意識のうちに、左右、大きく動くことになるが、上述のように掛け布団４の足側の端中央近傍を、連結具９によって挟み付けているので、掛け布団４の足側がずれることはなく、掛け布団４の落下を効果的に防止することができる。この際、掛け布団４の長手側両側端は、ベッド装置１側面側に側柵を装着することで、一層好適に、掛け布団４の落下を阻止することができる。  また、下半身が左右、大きく動いても、掛け布団４の足側の端中央近傍を、連結具９によって挟み付けたことにより、動きが阻害されることはなく、快眠をもたらすことができる。【００１８】  本発明にかかる布団落下防止機能を有するベッド装置は、次のように構成することもできる。なお、本実施例において、上述の実施例と同様な構成体は同符号を付して、その説明を省略する。
すなわち、図３におけるベッド装置１では、線状部材８は、フットボード５ｂの持上用溝１０の一端に設けた係止具７に線状部材８を止め付けている。
この場合、前記持上用溝１０の他端側には、連結具９の格納空間部１１を画成している。
この格納空間部１１は、非使用時に、連結具９が露出することのないようにするものである（図４参照）。【００１９】  以上のようなベッド装置１によれば、非使用時に、連結具９が露出することのないように、格納空間部１１に格納しておくことができ、非使用時に、物が引っ掛かったり、見た目にも見苦しいというようなことはない。
【図面の簡単な説明】
【００２０】
【図１】  本発明にかかる布団落下防止機能を有するベッド装置における一例を示す、斜視説明図である。
【図２】  図１に示すベッド装置における布団落下防止機能を有する線状部材および連結具の拡大斜視図である。
【図３】  本発明にかかる布団落下防止機能を有するベッド装置における別例を示す、斜視説明図である。
【図４】  図３に示すベッド装置における布団落下防止機能を有する線状部材および連結具を、格納空間部に格納したところを示す、拡大斜視図である。
【符号の説明】
１                        ベッド装置
２                        ボトム
３                        マットレス
４                        掛け布団
５                        ボード
５ａ                      ヘッドボード
５ｂ                      フットボード
６                        補強用溝
７                        係止具
８                        線状部材
９                        連結具
９ａ                      先端部
９ｂ                      つまみ
１０                      持上用溝
１１                      格納空間部
【図１】
2005087667.tif 000003
【図２】
2005087667.tif 000004
【図３】
2005087667.tif 000005
【図４】
2005087667.tif 000006